(57)【特許請求の範囲】
【請求項１】
互いに異なる大きさの少なくとも２つのグループ、または互いに異なる幾何学的形状の少なくとも２つのグループに分けられる基本単位体が積層されて複数段を形成した構造を有する単位体スタック部を有し、
前記基本単位体は、互いに同一の個数の電極と分離膜が交互に配置され一体に結合された構造を有し、前記単位体スタック部の各段は（ａ）１種の基本単位体が１回または繰り返して配置された構造を有し、
前記（ａ）の１種の基本単位体は、第１電極、第１分離膜、第２電極及び第２分離膜が順次配置された４層構造、または前記４層構造が繰り返して配置された構造を有し、
前記単位体スタック部を固定する固定部を含み、
前記固定部は、前記単位体スタック部の前記複数段の表面に沿って折れながら付着されており、
前記基本単位体間で隣接した電極と分離膜とが前記基本単位体内の電極と分離膜が互いに結合された結合力より小さい結合力で結合されることを特徴とする電極組立体。
【請求項２】
前記電極は、それぞれの基本単位体内で隣接した分離膜に接着されることを特徴とする請求項１に記載の電極組立体。
【請求項３】
前記電極は、前記隣接した分離膜に対向する面で全体的に前記隣接した分離膜に接着されることを特徴とする請求項２に記載の電極組立体。
【請求項４】
前記電極と前記分離膜との間の接着は、前記電極と前記隣接した分離膜に圧力を加えることによる接着、または前記電極と前記隣接した分離膜に圧力と熱を加えることによる接着であることを特徴とする請求項２に記載の電極組立体。
【請求項５】
前記分離膜は、多孔性の分離膜基材、及び前記分離膜基材の一面または両面に全体的にコーティングされる多孔性のコーティング層を含み、
前記コーティング層は、無機物粒子と前記無機物粒子を互いに連結及び固定するバインダー高分子の混合物で形成され、
前記電極は、前記コーティング層によって前記隣接した分離膜に接着されることを特徴とする請求項２に記載の電極組立体。
【請求項６】
前記コーティング層に気孔構造が形成されていることを特徴とする請求項５に記載の電極組立体。
【請求項７】
前記単位体スタック部は、最上側または最下側に位置する電極である末端電極に積層される第１補助単位体をさらに含み、
前記末端電極が正極であるとき、前記第１補助単位体は前記末端電極から順次分離膜、負極、分離膜及び正極が積層されて形成され、
前記末端電極が負極であるとき、前記第１補助単位体は前記末端電極から順次分離膜及び正極が積層されて形成されることを特徴とする請求項１に記載の電極組立体。
【請求項８】
前記第１補助単位体の正極は、
集電体；及び
前記集電体の両面のうち、前記基本単位体に対向する一面にのみコーティングされる活物質を備えることを特徴とする請求項７に記載の電極組立体。
【請求項９】
前記単位体スタック部は、最上側または最下側に位置する分離膜である末端分離膜に積層される第２補助単位体をさらに含み、
前記基本単位体で前記末端分離膜に接した電極が正極であるとき、前記第２補助単位体は前記末端分離膜から順次負極、分離膜及び正極が積層されて形成され、
前記基本単位体で前記末端分離膜に接した電極が負極であるとき、前記第２補助単位体は正極に形成されることを特徴とする請求項１に記載の電極組立体。
【請求項１０】
前記第２補助単位体の正極は、
集電体；及び
前記集電体の両面のうち、前記基本単位体に対向する一面にのみコーティングされる活物質を備えることを特徴とする請求項９に記載の電極組立体。
【請求項１１】
前記単位体スタック部は、最上側または最下側に位置する電極である末端電極に積層される第１補助単位体をさらに含み、
前記末端電極が正極であるとき、前記第１補助単位体は前記末端電極から順次分離膜及び負極が積層されて形成され、
前記末端電極が負極であるとき、前記第１補助単位体は前記末端電極から順次分離膜、正極、分離膜及び負極が積層されて形成されることを特徴とする請求項１に記載の電極組立体。
【請求項１２】
前記第１補助単位体は、前記負極の外側に分離膜をさらに含むことを特徴とする請求項１１に記載の電極組立体。
【請求項１３】
前記単位体スタック部は、最上側または最下側に位置する分離膜である末端分離膜に積層される第２補助単位体をさらに含み、
前記基本単位体で前記末端分離膜に接した電極が正極であるとき、前記第２補助単位体は負極に形成され、
前記基本単位体で前記末端分離膜に接した電極が負極であるとき、前記第２補助単位体は前記末端分離膜から順次正極、分離膜及び負極が積層されて形成されることを特徴とする請求項１に記載の電極組立体。
【請求項１４】
前記第２補助単位体は、前記負極の外側に分離膜をさらに含むことを特徴とする請求項１３に記載の電極組立体。
【請求項１５】
前記単位体スタック部は、最上側または最下側に位置する分離膜である末端分離膜に積層される第２補助単位体をさらに含み、
前記基本単位体で前記末端分離膜に接した電極が負極であるとき、前記第２補助単位体は前記末端分離膜から順次第１正極、分離膜、負極、分離膜及び第２正極が積層されて形成されることを特徴とする請求項１に記載の電極組立体。
【請求項１６】
前記第２補助単位体の第２正極は、
集電体；及び
前記集電体の両面のうち、前記基本単位体に対向する一面にのみコーティングされる活物質を備えることを特徴とする請求項１５に記載の電極組立体。
【請求項１７】
前記単位体スタック部は、最上側または最下側に位置する分離膜である末端分離膜に積層される第２補助単位体をさらに含み、
前記基本単位体で前記末端分離膜に接した電極が正極であるとき、前記第２補助単位体は前記末端分離膜から順次第１負極、分離膜、正極、分離膜及び第２負極が積層されて形成されることを特徴とする請求項１に記載の電極組立体。
【請求項１８】
請求項１に記載の電極組立体；及び
前記電極組立体を内蔵するパウチケースを含むことを特徴とするポリマー二次電池のセル。
【発明の詳細な説明】
【技術分野】
【０００１】
本発明は、スタック型構造やスタック／フォールディング型構造と区別される新しい構造の電極組立体及びこれを含むポリマー二次電池セルに関し、特に大きさを最適化すると同時に最小の分離膜が用いられる電極組立体、及びこれを含むポリマー二次電池セルに関する。
【背景技術】
【０００２】
二次電池は、電極組立体の構造によって多様に分類され得る。一例として、二次電池はスタック型構造、巻取型(ゼリロール型)構造及びスタック/フォールディング型構造に分類され得る。ところが、スタック型構造は、電極組立体を構成する電極単位(正極、分離膜及び負極)が互いに別個に積層されるため、電極組立体を精密に整列することが非常に困難であるだけでなく、電極組立体を生産するために非常に多くの工程が要求されるとの短所がある。また、スタック／フォールディング型構造は、一般的に2台のラミネーション装備と1台のフォールディング装備が要求されるため、電極組立体の製造工程が非常に複雑であるとの短所がある。特に、スタック／フォールディング型構造はフォールディングを介してフルセルやバイセルを積層するため、フルセルやバイセルを精密に整列し難いとの短所もある。
【０００３】
一方、電子機器のデザインの多様化に伴い、二次電池もこれに対応されるように多様なデザインが求められている。ところが、このような要求に応じてスタック／フォールディング型構造に基づき複数段を有する二次電池が多様に開発されているが、このようにスタック／フォールディング型構造に基づく場合、分離膜が二重に重なるとの問題と、バイセルやフルセルをフォールディングする分離膜シートが電極組立体の各段に密着されないとの問題とが発生している。
【発明の概要】
【発明が解決しようとする課題】
【０００４】
したがって、本発明は前記のような問題等を解決するために案出されたものであって、本発明の課題は、スタック型構造やスタック／フォールディング型構造と区別される新しい構造を介して精密な整列と単純な工程を可能にする電極組立体及びこれを含むポリマー二次電池セルを提供することにある。
【０００５】
本発明のさらに他の課題は、複数段を形成した構造を有しながらも、大きさを最適化すると同時に最小の分離膜が用いられる電極組立体及びこれを含むポリマー二次電池セルを提供することにある。
【課題を解決するための手段】
【０００６】
本発明に係る電極組立体は、互いに異なる大きさの少なくとも2つのグループや、互いに異なる幾何学的形状の少なくとも2つのグループに分けられる基本単位体等が、互いに同一の大きさや互いに同一の幾何学的形状の基本単位体同士に積層されて複数段を形成した構造を有する単位体スタック部を含む。ここで基本単位体は、互いに同一の個数の電極と分離膜が交互に配置され一体に結合された構造を有し、単位体スタック部の各段は(a)1種の基本単位体が1回または繰り返して配置された構造、または(b)2種以上の基本単位体が定められた順序に従い配置された構造を有する。さらに、(a)の1種の基本単位体は、第1電極、第1分離膜、第2電極及び第2分離膜が順次配置された4層構造や、4層構造が繰り返して配置された構造を有し、(b)の2種以上の基本単位体をそれぞれ1つずつ定められた順序に従い配置すると、4層構造や4層構造が繰り返して配置された構造が形成される。
【発明の効果】
【０００７】
本発明によれば、スタック型構造やスタック／フォールディング型構造と区別される新しい構造によって精密な整列と単純な工程を可能とし、さらに複数段に形成する場合、大きさを最適化すると同時に最小の分離膜を利用する電極組立体及びこれを含むポリマー二次電池セルを提供することができる。
【図面の簡単な説明】
【０００８】
【図１】本発明に係る基本単位体の第1構造を示している側面図である。
【図２】本発明に係る基本単位体の第2構造を示している側面図である。
【図３】図1の基本単位体の積層により形成される単位体スタック部を示している側面図である。
【図４】本発明に係る基本単位体の第3構造を示している側面図である。
【図５】本発明に係る基本単位体の第4構造を示している側面図である。
【図６】図4の基本単位体と図5の基本単位体の積層により形成される単位体スタック部を示している側面図である。
【図７】本発明に係る基本単位体を製造する工程を示している工程図である。
【図８】異なる大きさを有する基本単位体が積層されて形成される単位体スタック部を示している斜視図である。
【図９】図8の単位体スタック部を示している側面図である。
【図１０】異なる幾何学的形状を有する基本単位体が積層されて形成される単位体スタック部を示している斜視図である。
【図１１】本発明に係る基本単位体と第1補助単位体を含む単位体スタック部の第1構造を示している側面図である。
【図１２】本発明に係る基本単位体と第1補助単位体を含む単位体スタック部の第2構造を示している側面図である。
【図１３】本発明に係る基本単位体と第2補助単位体を含む単位体スタック部の第3構造を示している側面図である。
【図１４】本発明に係る基本単位体と第2補助単位体を含む単位体スタック部の第4構造を示している側面図である。
【図１５】本発明に係る基本単位体と第1補助単位体を含む単位体スタック部の第5構造を示している側面図である。
【図１６】本発明に係る基本単位体と第1補助単位体を含む単位体スタック部の第6構造を示している側面図である。
【図１７】本発明に係る基本単位体と第2補助単位体を含む単位体スタック部の第7構造を示している側面図である。
【図１８】本発明に係る基本単位体と第2補助単位体を含む単位体スタック部の第8構造を示している側面図である。
【図１９】本発明に係る基本単位体と第1補助単位体を含む単位体スタック部の第9構造を示している側面図である。
【図２０】本発明に係る基本単位体、第1補助単位体及び第2補助単位体を含む単位体スタック部の第10構造を示している側面図である。
【図２１】本発明に係る基本単位体と第2補助単位体を含む単位体スタック部の第11構造を示している側面図である。
【図２２】本発明に係る電極組立体を含むポリマー二次電池セルを示している側面図である。
【発明を実施するための形態】
【０００９】
以下では、図を参照して本発明の好ましい実施例を詳しく説明する。しかし、本発明が以下の実施例によって制限されるか限定されるものではない。
【００１０】
本発明に係る電極組立体は、基本的に単位体スタック部を含む。よって、以下で先ず単位体スタック部に対し検討してみる。
【００１１】
単位体スタック部
本発明において、単位体スタック部の各段は、(a)1種の基本単位体が1回または繰り返して配置された構造、または(b)2種以上の基本単位体が定められた順序に従い、例えば交互的に配置された構造を有する。よって、以下で先ず基本単位体に対し検討してみる。
【００１２】
[基本単位体の構造]
本発明に係る電極組立体において、基本単位体は、電極と分離膜が交互に配置されて形成される。このとき、電極と分離膜は同じ数だけ配置される。例えば、図1で示しているように、基本単位体110aは2つの電極111、113と2つの分離膜112、114が積層されて形成され得る。このとき、正極と負極は、当然分離膜を介して互いに対向することができる。基本単位体がこのように形成されると、基本単位体の一側末端に電極(図1と2で図面符号111の電極参照)が位置するようになり、基本単位体の他側末端に分離膜(図1と2で図面符号114の分離膜参照)が位置するようになる。
【００１３】
本発明に係る電極組立体は、基本単位体の積層だけで単位体スタック部(すなわち、電極組立体)を形成することができるとの点に基本的な特徴がある。すなわち、本発明は1種の基本単位体を繰り返して積層し、または2種以上の基本単位体を定められた順序に従い積層して単位体スタック部を形成することができるとの点に基本的な特徴がある。このような特徴を具現するために基本単位体は以下のような構造を有し得る。
【００１４】
第一、基本単位体は、第1電極、第1分離膜、第2電極及び第2分離膜が順次積層されて形成され得る。より具体的に、基本単位体110a、110bは、図1で示しているように第1電極111、第1分離膜112、第2電極113及び第2分離膜114が上側から下側に順次積層されて形成されるか、または図2で示しているように、第1電極111、第1分離膜112、第2電極113及び第2分離膜114が下側から上側に順次積層されて形成され得る。このような構造を有する基本単位体を以下で第1基本単位体という。このとき、第1電極111と第2電極113は、互いに逆の電極である。例えば、第1電極111が正極であれば、第2電極113は負極である。
【００１５】
このように第1電極、第1分離膜、第2電極及び第2分離膜が順次積層されて基本単位体が形成されると、図3で示しているように1種の基本単位体110aを繰り返して積層することだけでも、単位体スタック部100aを形成することができる。ここで、基本単位体は、このような4層構造以外にも8層構造または12層構造を有し得る。すなわち、基本単位体は4層構造が繰り返して配置された構造を有し得る。例えば、基本単位体は第1電極、第1分離膜、第2電極、第2分離膜、第1電極、第1分離膜、第2電極及び第2分離膜が順次積層されて形成されることもある。
【００１６】
第二、基本単位体は、第1電極、第1分離膜、第2電極、第2分離膜、第1電極及び第1分離膜が順次積層されて形成されるか、第2電極、第2分離膜、第1電極、第1分離膜、第2電極及び第2分離膜が順次積層されて形成され得る。前者の構造を有する基本単位体を以下で第2基本単位体といい、後者の構造を有する基本単位体を以下で第3基本単位体という。
【００１７】
より具体的に第2基本単位体110cは、図4に示されているように第1電極111、第1分離膜112、第2電極113、第2分離膜114、第1電極111及び第1分離膜112が上側から下側に順次積層されて形成され得る。また、第3基本単位体110dは、図5に示されているように第2電極113、第2分離膜114、第1電極111、第1分離膜112、第2電極113及び第2分離膜114が上側から下側に順次積層されて形成され得る。これとは逆に、下側から上側に順次積層されて形成されることもある。
【００１８】
第2基本単位体110cと第3基本単位体110dを1つずつ積層すると、4層構造が繰り返して積層された構造が形成される。したがって、第2基本単位体110cと第3基本単位体110dを1つずつ交互に引き続いて積層すると、図6で示しているように第2及び第3基本単位体の積層だけでも、単位体スタック部100bを形成することができる。参考までに、3種の基本単位体が準備されると、例えば1番基本単位体、2番基本単位体、3番基本単位体、再び1番基本単位体、2番基本単位体、3番基本単位体の順に、すなわち定められた順序に従い基本単位体を積層して単位体スタック部を形成することができる。
【００１９】
このように本発明で1種の基本単位体は、第1電極、第1分離膜、第2電極及び第2分離膜が順次配置された4層構造や4層構造が繰り返して配置された構造を有する。また、本発明で2種以上の基本単位体をそれぞれ1つずつ定められた順序に従い配置すると、4層構造や4層構造が繰り返して配置された構造が形成される。例えば、前述した第1基本単位体は4層構造を有し、前述した第2基本単位体と第3基本単位体をそれぞれ1つずつ総2つ積層すると、4層構造が繰り返して積層された12層構造が形成される。
【００２０】
したがって、本発明で1種の基本単位体を繰り返して積層するか、または2種以上の基本単位体を定められた順序に従い積層すると、単に積層だけでも単位体スタック部(すなわち、電極組立体)を形成することができる。
【００２１】
本発明で単位体スタック部は、基本単位体が基本単位体単位で積層されて形成される。すなわち、先に基本単位体を製作した後、これを繰り返してまたは定められた順序に従い積層して単位体スタック部を製作する。このように本発明は、基本単位体の積層だけで単位体スタック部を形成することができる。したがって、本発明は基本単位体を非常に精密に整列させ得る。基本単位体が精密に整列されると、電極と分離膜も単位体スタック部で精密に整列され得る。また、本発明は単位体スタック部(電極組立体)の生産性を非常に向上させることができる。工程が非常に単純になるためである。
【００２２】
[基本単位体の製造]
図7を参照して代表的に第1基本単位体を製造する工程に対し検討してみる。先ず、第1電極材料121、第1分離膜材料122、第2電極材料123及び第2分離膜材料124を準備する。ここで、第1分離膜材料122と第2分離膜材料124は互いに同一の材料であり得る。その後、第1電極材料121をカッターC1を介して所定の大きさに切断し、第2電極材料123もカッターC2を介して所定の大きさに切断する。その後、第1電極材料121を第1分離膜材料122に積層し、第2電極材料123を第2分離膜材料124に積層する。
【００２３】
その後、ラミネータL1、L2で電極材料と分離膜材料を互いに接着させるのが好ましい。このような接着により電極と分離膜が一体に結合された基本単位体が製造され得る。結合の方法は多様であり得る。ラミネータL1、L2は接着のために材料に圧力を加えるか、圧力と熱を加える。このような接着は、単位体スタック部を製造する際に、基本単位体の積層をより容易にする。また、このような接着は、基本単位体の整列にも有利である。このような接着後に第1分離膜材料122と第2分離膜材料124をカッターC3を介して所定の大きさに切断すると、基本単位体110aが製造され得る。このような過程中に分離膜の末端は、隣接した分離膜の末端と接合されない。
【００２４】
このように基本単位体における電極は隣接した分離膜に接着され得る。または分離膜が電極に接着されるとみることもできる。このとき、電極は分離膜に対向する面で全体的に分離膜に接着されるのが好ましい。この場合、電極が安定的に分離膜に固定され得るためである。通常、電極は分離膜よりも小さい。
【００２５】
このため、接着剤を分離膜に塗布することができる。しかし、このように接着剤を用いるためには、接着剤を接着面に亘ってメッシュ(mesh)形態やドット(dot)形態に塗布する必要がある。接着剤を接着面の全体に隙間なく塗布すると、リチウムイオンのような反応イオンが分離膜を通過することができないためである。したがって、接着剤を用いると、電極を全体的に(すなわち、接着面の全体に亘って)分離膜に接着させ得るとはしても、全体的に隙間なく接着させることは困難である。
【００２６】
または、接着力を有するコーティング層を備える分離膜を介して全体的に電極を分離膜に接着させ得る。さらに詳述する。分離膜は、ポリオレフィン系列の分離膜基材のような多孔性の分離膜基材、及び分離膜基材の一面または両面に全体的にコーティングされる多孔性のコーティング層を含むことができる。このとき、コーティング層は無機物粒子等と無機物粒子等を互いに連結及び固定するバインダー高分子の混合物で形成され得る。
【００２７】
ここで、無機物粒子は、分離膜の熱的安全性を向上させることができる。すなわち、無機物粒子は、高温で分離膜が収縮されることを防止し得る。なお、バインダー高分子は、無機物粒子を固定させて分離膜の機械的安全性も向上させることができる。また、バインダー高分子は、電極を分離膜に接着させ得る。バインダー高分子は、コーティング層に全体的に分布するので、前述した接着剤とは異なり、接着面の全体で隙間なく接着が起こり得る。したがって、このような分離膜を用いると、電極をより安定的に分離膜に固定させ得る。このような接着を強化するために前述したラミネータを用いることができる。
【００２８】
ところが、無機物粒子等は、充填構造(densely packed structure)を成してコーティング層で全体的に無機物粒子等間のインタースティシャルボリューム(interstitial volumes)を形成することができる。このとき、無機物粒子等が限定するインタースティシャルボリュームによって、コーティング層には気孔構造が形成され得る。このような気孔構造によって分離膜にコーティング層が形成されていても、リチウムイオンが分離膜を良好に通過することができる。参考までに、無機物粒子等が限定するインタースティシャルボリュームは、位置によってバインダー高分子により塞がっていることもある。
【００２９】
ここで、充填構造は、ガラス瓶に砂利が盛られているような構造で説明され得る。したがって、無機物粒子等が充填構造を成すと、コーティング層で局部的に無機物粒子等間のインタースティシャルボリュームが形成されるものではなく、コーティング層で全体的に無機物粒子等間のインタースティシャルボリュームが形成される。これによって、無機物粒子の大きさが増加すると、インタースティシャルボリュームによる気孔の大きさも共に増加する。このような充填構造によって分離膜の全体面において、リチウムイオンが円滑に分離膜を通過し得る。
【００３０】
一方、単位体スタック部で基本単位体も基本単位体同士に互いに接着され得る。例えば、図1で第2分離膜114の下面に接着剤が塗布されたり、前述したコーティング層がコーティングされたりすると、第2分離膜114の下面に他の基本単位体が接着され得る。
【００３１】
このとき、基本単位体で電極と分離膜との間の接着力は、単位体スタック部で基本単位体間の接着力よりも大きくなり得る。もちろん、基本単位体間の接着力はないこともある。この場合、電極組立体(単位体スタック部)を分離する際に、接着力の差によって基本単位体単位で分離される可能性が高い。参考までに、接着力は剥離力で表現することもできる。例えば、電極と分離膜との間の接着力は、電極と分離膜を互いに取り外すとき必要な力として表現することもできる。このように単位体スタック部内での基本単位体は、隣接した基本単位体と結合されないか、または基本単位体内で電極と分離膜が互いに結合された結合力とは異なる結合力で隣接した基本単位体と結合され得る。
【００３２】
参考までに、分離膜が前述したコーティング層を含む場合、分離膜に対する超音波融着は好ましくない。分離膜は、通常、電極よりも大きい。これによって、第1分離膜112の末端と第2分離膜114の末端を超音波融着で互いに結合させようとする試みがあり得る。ところが、超音波融着はホーンで対象を直接加圧する必要がある。しかし、ホーンで分離膜の末端を直接加圧すると、接着力を有するコーティング層によって分離膜にホーンがくっ付き得る。これにより装置の故障を招かれ得る。
【００３３】
[基本単位体の変形]
今まで互いに同一の大きさを有する基本単位体のみを説明した。しかし、基本単位体は互いに異なる大きさを有することもある。互いに異なる大きさを有する基本単位体を積層すると、単位体スタック部を多様な形状に製造することができる。ここで、基本単位体の大きさは、分離膜の大きさに基づいて説明する。通常、分離膜が電極よりも大きいためである。
【００３４】
図8と図9を参照してより詳述すると、基本単位体は複数個に設けられ、互いに異なる大きさを有する少なくとも2つのグループに分けられ得る(図9の図面符号1101a、1102a、1103a参照)。このような基本単位体等を大きさによって積層すると、複数段の構造を有する単位体スタック部100cが形成され得る。図8と図9は3つのグループに分けられる基本単位体1101a、1102a、1103aが互いに同一の大きさの基本単位体同士に積層され、3つの段を形成した例を示している。つまり、図8と図9は、3つの段でそれぞれ同一の大きさの基本単位体同士に積層された例を示している。参考までに、1つのグループに属する基本単位体等が2つ以上の段を形成しても構わない。さらに、単位体スタック部で1つの段が1つの基本単位体に形成されることもあり得る。
【００３５】
ところが、このように複数段を形成する場合、基本単位体は前述した4層構造や4層構造が繰り返して積層された構造、すなわち第1基本単位体の構造を有するのが最も好ましい。(本明細書で基本単位体等が互いに積層構造が同一であれば、互いに大きさが異なっても1種の基本単位体に属するものとみる。)
【００３６】
これに対して詳述すると、1つの段で正極と負極は互いに同一の数だけ積層されるのが好ましい。また、段と段との間で互いに逆の電極が分離膜を介して互いに対向するのが好ましい。ところが、例えば、第2及び第3基本単位体の場合、前記のように1つの段を形成するために2種の基本単位体が必要となる。
【００３７】
しかし、図9に示されているように第1基本単位体の場合、前記のように1つの段を形成するために1種の基本単位体のみ必要となる。したがって、基本単位体が前述した4層構造や4層構造が繰り返して積層された構造を有すると、複数段を形成しても基本単位体の種類を減らすことができる。
【００３８】
また、例えば、第2及び第3基本単位体の場合、前記のように1つの段を形成するために2種の基本単位体を少なくとも1つずつ積層する必要があるので、1つの段は最小12層の構造を有するようになる。しかし、第1基本単位体の場合、前記のように1つの段を形成するために1種の基本単位体のみ積層すればよいので、1つの段は最小4層の構造を有するようになる。したがって、基本単位体が前述した4層構造や4層構造が繰り返して積層された構造を有すると、複数段を形成する際に各段の厚さを非常に容易に調節することができる。
【００３９】
一方、基本単位体は互いに異なる大きさを有し得るだけでなく、互いに異なる幾何学的形状を有することもできる。例えば、図10で示しているように、基本単位体等は大きさだけでなく、角形状において差があり得、穿孔有無において差があり得る。より具体的に図10で示しているように、3つのグループに分けられる基本単位体等が互いに同一の幾何学的形状の基本単位体同士に積層されて3つの段を形成することもできる。
【００４０】
このため、基本単位体は少なくとも2つのグループ(各グループは互いに異なる幾何学的形状を有する)に分けられ得る。このときも同様に、基本単位体は前述した4層構造や4層構造が繰り返して積層された構造、すなわち第1基本単位体の構造を有するのが最も好ましい。(本明細書で基本単位体等が互いに積層構造が同一であれば、互いに幾何学的形状が異なっても1種の基本単位体に属するものとみる。)
【００４１】
[補助単位体]
単位体スタック部は、第1補助単位体と第2補助単位体のうち少なくともいずれか1つをさらに含むことができる。先ず、第1補助単位体に対し検討してみる。本発明で基本単位体は、一側末端に電極が位置して他側末端に分離膜が位置する。したがって、基本単位体を順次積層すると、単位体スタック部の最上側や最下側に電極(図11で図面符号116の電極参照、以下「末端電極」という)が位置するようになる。第1補助単位体は、このような末端電極にさらに積層される。
【００４２】
より具体的に末端電極116が正極であれば、第1補助単位体130aは図11で示しているように、末端電極116から順次、すなわち末端電極116から外側に分離膜114、負極113、分離膜112及び正極111が順次積層されて形成され得る。また、末端電極116が負極であれば、第1補助単位体130bは図12で示しているように、末端電極116から順次、すなわち末端電極116から外側に分離膜114及び正極113が順次積層されて形成され得る。
【００４３】
単位体スタック部100d、100eは、図11と図12に示されているように、第1補助単位体130a、130bを介して末端電極側の最外側に正極を位置させることができる。このとき、最外側に位置する正極、すなわち第1補助単位体の正極は、集電体の両面中に基本単位体に対向する一面(図11を基準に下側に向かう一面)にのみ活物質層がコーティングされるのが好ましい。このように活物質層がコーティングされると、末端電極側の最外側に活物質層が位置しなくなるので、活物質層が浪費されることを防止し得る。参考までに、正極は(例えば)リチウムイオンを放出する構成なので、最外側に正極を位置させると電池容量において有利である。
【００４４】
参考までに、第1補助単位体は、末端電極が位置した基本単位体と同一の大きさを有するのが好ましい。さらに、後述する第2補助単位体も、末端分離膜が位置した基本単位体と同一の大きさを有するのが好ましい。
【００４５】
次に、第2補助単位体に対して検討してみる。第2補助単位体は、基本的に第1補助単位体と同一の役割を行う。さらに詳述する。本発明で基本単位体は一側末端に電極が位置して他側末端に分離膜が位置する。したがって、基本単位体を順次積層すると、単位体スタック部の最上側や最下側に分離膜(図13で図面符号117の分離膜参照、以下「末端分離膜」という)が位置するようになる。第2補助単位体は、このような末端分離膜にさらに積層される。
【００４６】
より具体的に基本単位体で、末端分離膜117に接した電極113が正極であれば、第2補助単位体140aは図13で示しているように、末端分離膜117から順に負極111、分離膜112及び正極113が積層されて形成され得る。また、基本単位体で末端分離膜117に接した電極113が負極であれば、第2補助単位体140bは図14で示しているように正極111に形成され得る。
【００４７】
単位体スタック部100f、100gは、図13と図14に示されているように、第2補助単位体140a、140bを介して末端分離膜側の最外側に正極を位置させることができる。このとき、最外側に位置する正極、すなわち第2補助単位体の正極も第1補助単位体の正極と同一に、集電体の両面中に基本単位体に対向する一面(図13を基準に上側に向かう一面)にのみ活物質層がコーティングされるのが好ましい。
【００４８】
ところが、第1補助単位体と第2補助単位体は、前述した構造と異なる構造を有することもできる。先ず、第1補助単位体に対し検討してみる。図15で示しているように末端電極116が正極であれば、第1補助単位体130cは分離膜114及び負極113が末端電極116から順次積層されて形成され得る。また、図16に示されているように末端電極116が負極であれば、第1補助単位体130dは分離膜114、正極113、分離膜112及び負極111が末端電極116から順次積層されて形成され得る。
【００４９】
単位体スタック部100h、100iは、図15と図16に示されているように、第1補助単位体130c、130dを介して末端電極側の最外側に負極を位置させ得る。
【００５０】
次に、第2補助単位体に対し検討してみる。図17で示しているように、基本単位体で末端分離膜117に接した電極113が正極であれば、第2補助単位体140cは負極111に形成され得る。また、図18で示しているように、基本単位体で末端分離膜117に接した電極113が負極であれば、第2補助単位体140dは正極111、分離膜112及び負極113が末端分離膜117から順次積層されて形成され得る。単位体スタック部100j、100kは、図17と図18に示されているように、第2補助単位体140c、140dを介して末端分離膜側の最外側に負極を位置させることができる。
【００５１】
参考までに、負極は電位差によって電池ケース(例えば、パウチ型ケース)のアルミニウム層と反応を起こし得る。したがって、負極は分離膜を介して電池ケースから絶縁されるのが好ましい。このため、図15ないし図18で第1及び第2補助単位体は、負極の外側に分離膜をさらに含むこともできる。例えば、図15の第1補助単位体130cと対比して図19の第1補助単位体130eは、最外側に分離膜112をさらに含むこともできる。参考までに、補助単位体が分離膜を含むと、補助単位体を基本単位体に整列するときより容易である。
【００５２】
一方、図20で示しているように、単位体スタック部100mを形成することもできる。基本単位体110bは、下側から上側に第1電極111、第1分離膜112、第2電極113及び第2分離膜114が順次積層されて形成され得る。このとき、第1電極111は正極であり得、第2電極113は負極であり得る。
【００５３】
また、第1補助単位体130fは、分離膜114、負極113、分離膜112及び正極111が末端電極116から順次積層されて形成され得る。このとき、第1補助単位体130fの正極111は、集電体の両面中に基本単位体110bに対向する一面にのみ活物質層が形成され得る。
【００５４】
また、第2補助単位体140eは、末端分離膜117から順次正極111（第1正極)、分離膜112、負極113、分離膜114及び正極118(第2正極)が積層されて形成され得る。このとき、第2補助単位体140eの正極のうち、最外側に位置した正極118(第2正極)は、集電体の両面中に基本単位体110bに対向する一面にのみ活物質層が形成され得る。
【００５５】
最後に、図21で示しているように、単位体スタック部100nを形成することもできる。
【００５６】
基本単位体110eは、上側から下側に第1電極111、第1分離膜112、第2電極113及び第2分離膜114が積層されて形成され得る。このとき、第1電極111は負極であり得、第2電極113は正極であり得る。また、第2補助単位体140fは、負極111、分離膜112、正極113、分離膜114及び負極119が末端分離膜117から順次積層されて形成され得る。
【００５７】
ポリマー二次電池セル
本発明は、前述した電極組立体を含んでポリマー二次電池セルを具現することができる。つまり、本発明においてポリマー二次電池セルは、単位体スタック部、単位体スタック部の基本単位体等を固定する固定部、及び単位体スタック部と固定部を内蔵するパウチケースを含む。
【００５８】
例えば、ポリマー二次電池セルは、図22に示されているように、複数段を形成した構造を有する単位体スタック部100と、単位体スタック部100の上面から下面まで付着され、但し、単位体スタック部100に密着されるように多段に折れながら付着されて単位体スタック部100を固定する固定部200と、固定部200が付着された単位体スタック部100を内蔵するパウチケース300とを含むことができる。
【００５９】
ここで、固定部は、図22に示されているように、単位体スタック部100に密着されるに伴い、単位体スタック部100の上面から単位体スタック部100の側面に沿って単位体スタック部100の下面まで延長され得る。または、固定部は、単位体スタック部に密着されるに伴い、単位体スタック部の上面から再度単位体スタック部の上面まで延長されるか、単位体スタック部の下面から再度単位体スタック部の下面まで延長され得る。または、固定部は、単位体スタック部を一回りまたはそれ以上取り囲むこともできる。
【００６０】
ここで、固定部200は、水に濡らした際に粘着性を発現する高分子テープが用いられ得る。
【００６１】
したがって、本発明に係るポリマー二次電池セルは、スタック型構造やスタック／フォールディング型構造と区別される新しい構造を有する電極組立体を含み、よって積層工法を簡素化し、分離膜の重複使用を防止することができる。
【符号の説明】
【００６２】
110a、110b    基本単位体
111、113    電極
112、114    分離膜
【図１】
0006526079.tif 000002
【図２】
0006526079.tif 000003
【図３】
0006526079.tif 000004
【図４】
0006526079.tif 000005
【図５】
0006526079.tif 000006
【図６】
0006526079.tif 000007
【図７】
0006526079.tif 000008
【図８】
0006526079.tif 000009
【図９】
0006526079.tif 000010
【図１０】
0006526079.tif 000011
【図１１】
0006526079.tif 000012
【図１２】
0006526079.tif 000013
【図１３】
0006526079.tif 000014
【図１４】
0006526079.tif 000015
【図１５】
0006526079.tif 000016
【図１６】
0006526079.tif 000017
【図１７】
0006526079.tif 000018
【図１８】
0006526079.tif 000019
【図１９】
0006526079.tif 000020
【図２０】
0006526079.tif 000021
【図２１】
0006526079.tif 000022
【図２２】
0006526079.tif 000023